(57)【要約】【課題】上台と棹石を、連結棒を介して確実に連結して縦揺れや横揺れに対する耐震性を高めると共に、分解が容易で簡単に移動することができる耐震墓構造の組立て方法を提供するものである。【解決手段】上台１の上部中心に縦溝２を形成し、これを囲むように複数のスペーサーを取付けると共に、棹石５の前記縦溝２と対向して縦溝６を形成し、キャップ１５を着脱自在に取付けた連結棒３の下部側を縦溝２に挿着して接着剤２１で上台１に固定し、キャップ１５の上部側に接着剤２１を充填した円筒体２０を上下動自在に被せ、棹石５の縦溝６に円筒体２０の上部を挿入して、棹石５を下降させて上台１の上に重ね、これと棹石５の隙間２６から金属板で形成されたストッパー２８を挿入して、この先端を前記キャップ１５に形成したスリット１７を通して、連結棒３の嵌合溝１０に着脱自在に嵌合するものである。【選択図】図５
2008095409.tif 000002
【特許請求の範囲】
【請求項１】
上台の上部中心に縦溝を形成し、この縦溝を囲む上台の上面に複数のスペーサーを取付けると共に、上台の上に重ねられる棹石の底部中心に前記縦溝と対向して連通する縦溝を形成し、長さが前記両縦溝の合計の深さより短かく、上部側外周に弾性材を取付け、中間部に嵌合溝を形成した金属製の連結棒の下部側を、上台の縦溝に挿着して接着剤で固定し、上部を閉塞し下部を開口すると共に、前記嵌合溝に合わせて壁面にスリットを形成した筒状のキャップを、前記棹石に形成した縦溝の内側に接着剤を介して固定し、このキャップの内側に、連結棒の上台から突出した部分を着脱自在に挿着すると共に、金属板で形成されたストッパーを、上台とスペーサーを介して重ねた棹石の隙間から前記キャップに形成したスリットを通して挿入し、ストッパーの先端を連結棒の嵌合溝に着脱自在に嵌合したことを特徴とする耐震墓構造。
【請求項２】
（１）上台の上に棹石を重ねた耐震墓構造の組立て方法において、上台の上部中心に縦溝を形成し、この縦溝を囲む上台の上面に複数のスペーサーを取付けると共に、上台の上に重ねられる棹石の底部中心に前記縦溝と対向して連通する縦溝を形成し、
（２）上台の縦溝に接着剤を充填して、ここに長さが前記両縦溝の合計の深さより短かく、上部側外周に弾性材を取付け、中間部に嵌合溝を形成した金属製の連結棒の下部側を挿着して接着剤で固定し、
（３）この連結棒の上部側から中間部を囲むように、上部を閉塞し下部を開口すると共に、前記嵌合溝に合わせて壁面にスリットを形成した筒状のキャップを被せ、
（４）次いで上部側面に接着剤の流出口を開口した筒体を、前記キャップの上部側に上下動自在に被せて、この筒体の上部から接着剤を充填した後、
（５）前記棹石に形成した縦溝の内側に筒体の上部を挿入してから、棹石を下降させて上台の上に重ね、この過程で筒体内の接着剤が流出口から押出されて棹石の縦溝とキャップとの間の隙間に充填して接着し、
（６）次いで上台と棹石の隙間から金属板で形成されたストッパーを挿入して、ストッパーの先端を前記キャップに形成したスリットを通して、連結棒の嵌合溝に着脱自在に嵌合したことを特徴とする耐震墓構造の組立て方法。
【請求項３】
スリットの上方に位置するキャップの外周にフランジを突設し、筒体の下部を塞ぐパッドをキャップの外周に取付けて、筒体と共に下降してきたパッドを前記フランジで受け止めるようにしたことを特徴とする請求項２記載の耐震墓構造の組立て方法。
【請求項４】
連結棒の中間部に形成した嵌合溝の下部側に、外径がキャップの外径とぼぼ同じ大径部を形成し、この大径部の上面を、前記キャップの底部を位置決めする段部としたことを特徴とする請求項２記載の耐震墓構造の組立て方法。
【請求項５】
連結棒の底部に、高さ調整用のアジャスターが取付けられていることを特徴とする請求項２記載の耐震墓構造の組立て方法。
【発明の詳細な説明】
【技術分野】
【０００１】
本発明は、耐震墓構造およびその組立て方法に関するものである。
【背景技術】
【０００２】
一般に墓石の構造は、芝台（下台）の上に、中台を重ね、この上に上台を重ね、一番上に棹石を重ねた構造となっている。この構造では、夫々別個に加工したものを単に積み重ねたものであるため、大きな地震が発生すると、重心の高い棹石が動いたり転倒することがあった。
【０００３】
このため、上台の上部中心に縦溝を形成し、この上に重ねられる棹石の底部中心に前記縦溝と対向してこれと連通する縦溝を形成し、上台の縦溝に連結棒の下部側を挿着して接着剤で固定し、連結棒の上部側に接着剤を塗布して、前記棹石の底部中心に形成した縦溝の内側に連結棒の上部側から挿入し、棹石を下降させて上台の上に重ねて、上台と棹石を連結棒で連結して、自身の揺れに対して棹石の倒壊を防止していた（例えば特許文献１）。
【０００４】
この耐震構造では、上台の縦溝が上方に向かって開口しているので、接着剤を充填して連結棒の下部側を確実に固定することができるが、棹石の底部に形成した縦溝は下方に向かって開口しているので、接着剤を充填しても自重により流れ出してしまい、連結棒の上部側に塗布しても隙間を埋めることができず確実に固定することができなかった。
【０００５】
また従来の耐震構造では、接着剤で固定してしまうので、石材店で墓石を展示する場合には固定できず、展示している間に地震が発生すると、棹石が倒壊してしまう問題があった。また墓地に一旦、設置した後、墓石を移転するような場合には、分解できないので全体をそのまま運搬しなければならず移転作業が面倒であった。
【特許文献１】実用新案登録第３０３１７４９号公報
【発明の開示】
【発明が解決しようとする課題】
【０００６】
本発明は上記問題点を改善し、上台と棹石を連結棒とストッパーで確実に連結して縦揺れや横揺れに対する耐震性を高めると共に、分解が容易で簡単に移動することができ、特に石材店で墓石を展示する場合や、一旦、設置した後、別の墓地に移転する場合にも好適な耐震墓構造およびその組立て方法を提供するものである。
【課題を解決するための手段】
【０００７】
本発明の請求項１記載の耐震墓構造は、上台の上部中心に縦溝を形成し、この縦溝を囲む上台の上面に複数のスペーサーを取付けると共に、上台の上に重ねられる棹石の底部中心に前記縦溝と対向して連通する縦溝を形成し、長さが前記両縦溝の合計の深さより短かく、上部側外周に弾性材を取付け、中間部に嵌合溝を形成した金属製の連結棒の下部側を、上台の縦溝に挿着して接着剤で固定し、上部を閉塞し下部を開口すると共に、前記嵌合溝に合わせて壁面にスリットを形成した筒状のキャップを、前記棹石に形成した縦溝の内側に接着剤を介して固定し、このキャップの内側に、連結棒の上台から突出した部分を着脱自在に挿着すると共に、金属板で形成されたストッパーを、上台とスペーサーを介して重ねた棹石の隙間から前記キャップに形成したスリットを通して挿入し、ストッパーの先端を連結棒の嵌合溝に着脱自在に嵌合したことを特徴とするものである。
【０００８】
本発明の請求項２記載の耐震墓構造の組立て方法は、（１）上台の上に棹石を重ねた耐震墓構造の組立て方法において、上台の上部中心に縦溝を形成し、この縦溝を囲む上台の上面に複数のスペーサーを取付けると共に、上台の上に重ねられる棹石の底部中心に前記縦溝と対向して連通する縦溝を形成し、（２）上台の縦溝に接着剤を充填して、ここに長さが前記両縦溝の合計の深さより短かく、上部側外周に弾性材を取付け、中間部に嵌合溝を形成した金属製の連結棒の下部側を挿着して接着剤で固定し、（３）この連結棒の上部側から中間部を囲むように、上部を閉塞し下部を開口すると共に、前記嵌合溝に合わせて壁面にスリットを形成した筒状のキャップを被せ、（４）次いで上部側面に接着剤の流出口を開口した筒体を、前記キャップの上部側に上下動自在に被せて、この筒体の上部から接着剤を充填した後、（５）前記棹石に形成した縦溝の内側に筒体の上部を挿入してから、棹石を下降させて上台の上に重ね、この過程で筒体内の接着剤が流出口から押出されて棹石の縦溝とキャップとの間の隙間に充填して接着し、（６）次いで上台と棹石の隙間から金属板で形成されたストッパーを挿入して、ストッパーの先端を前記キャップに形成したスリットを通して、連結棒の嵌合溝に着脱自在に嵌合したことを特徴とするものである。
【０００９】
本発明の請求項３記載の耐震墓構造の組立て方法は、請求項２において、スリットの上方に位置するキャップの外周に、フランジを突設し、筒体の下部を塞ぐパッドをキャップの外周に取付けて、筒体と共に下降してきたパッドを前記フランジで受け止めるようにしたことを特徴とするものである。
【００１０】
本発明の請求項４記載の耐震墓構造の組立て方法は、請求項２において、連結棒の中間部に形成した嵌合溝の下部側に、外径がキャップの外径とぼぼ同じ大径部を形成し、この大径部の上面を、前記キャップの底部を位置決めする段部としたことを特徴とするものである。
【００１１】
本発明の請求項５記載の耐震墓構造の組立て方法は、請求項２において、連結棒の底部に高さ調整用のアジャスターが取付けられていることを特徴とするものである。
【発明の効果】
【００１２】
本発明に係る請求項１記載の耐震墓構造によれば、上台の縦溝に、嵌合溝を形成した連結棒の下部側が挿着され、この連結棒の上部側が、棹石に形成した縦溝の内側に接着剤で固定されたキャップに着脱自在に挿着され、上台と棹石との間の隙間から金属板で形成されたストッパーを挿入して、この先端を前記キャップに形成したスリットを通して、連結棒の嵌合溝に着脱自在に嵌合して、連結棒とキャップを連結したので、横揺れや縦揺れの地震が発生しても、棹石の移動や倒壊を確実に防止することができる。またストッパーを引き抜くことにより、連結棒とキャップとの連結が解除されて、上台と棹石が簡単に分離できるので、運搬や組立が容易である。
【００１３】
本発明に係る請求項２記載の耐震墓構造の組立て方法によれば、連結棒の上部側から中間部を囲むように筒状のキャップを被せ、更に上部側面に接着剤の流出口を開口した筒体を、キャップの上部側に上下動自在に被せて、この筒体の上部から接着剤を充填した後、棹石に形成した縦溝の内側に筒体の上部を挿入して、棹石を下降させることにより、筒体内の接着剤が流出口から押出されて棹石の縦溝とキャップとの間の隙間に充填して、上向きの縦溝とキャップを確実に接着することができる。
【００１４】
また請求項３記載の耐震墓構造の組立て方法によれば、スリットの上方に位置するキャップの外周に、フランジを突設し、筒体の下部を塞ぐパッドをキャップの外周に取付けて、筒体と共に下降してきたパッドを前記フランジで受け止めて、接着剤の流出を防止することができる。
【００１５】
また請求項４記載の耐震墓構造の組立て方法によれば、連結棒の中間部に形成した嵌合溝の下部側に、外径をキャップの外径とぼぼ同じ大径部を形成し、この大径部の上面がキャップの底部を位置決めする段部となるので、連結棒の嵌合溝とキャップのスリットとの位置合わせが容易である。
【００１６】
また請求項５記載の耐震墓構造の組立て方法によれば、金属製の連結棒の底部に、高さ調整用のアジャスターが取付けられているので、上台の縦溝の深さが多少変化しても、連結棒の嵌合溝の位置を、上台の上面に合わせて簡単に調整することができる。
【発明を実施するための最良の形態】
【００１７】
以下本発明の実施の一形態を図１ないし図７を参照して詳細に説明する。図１において１は上台、２はこの上台１の上部中心に形成した中空円筒状の縦溝、３はこの内側に挿着される連結棒である。この連結棒３は真鍮やステンレスなどの金属で形成され、下部側に大径部３Ａ、中間にこれよりやや外径の小さい中径部３Ｂが、上部側に中径部３Ｂよりやや外径の小さい小径部３Ｃが形成されている。
【００１８】
連結棒３の長さは、上台１の縦溝２の深さと、図４に示す棹石５の底部中心に形成した縦溝６の深さの合計の深さよりやや短い長さに形成されている。更にこの連結棒３の下部側に大径部３Ａの底部中心にはねじ孔７が形成され、ここにボルト状の高さ調整用のアジャスター８が螺合して、縦溝２の深さに応じて連結棒３の位置を調整するようになっている。
【００１９】
また連結棒３を構成する大径部３Ａの下部側にはくびれ部９が形成され、中径部３Ｂにはリング状の嵌合溝１０が形成されている。また小径部３Ｃの外周には断面円形のゴムリング１１が複数個取付けられ、このゴムリング１１の下部は中径部３Ｂの上面で支持され、また上部は円形の押え板１２で押えられている。またこの押え板１２の上面から、小径部３Ｃを経て、中径部３Ｂの側面に連通する空気抜き孔１３が開孔されている。
【００２０】
また連結棒３の上部には円筒状のキャップ１５が被せられている。このキャップ１５は上部を閉塞し、下部を開口し、この外径は連結棒３の大径部３Ａとほぼ同じく形成され、キャップ１５の下部が、大径部３Ａの上面の段部１６に載置されるようになっている。この段部１６はキャップ１５のスリット１７とリング状の嵌合溝１０の位置を合わせる位置決めとなっている。またキャップ１５の下部側には、図２に示すように前記リング状の嵌合溝１０に合わせて両壁面にスリット１７、１７が形成されている。またキャップ１５の外周のスリット１７の上方には、図１に示すようにリング状のフランジ１８が突設されている。
【００２１】
また図３に示すように、２０は上下を開口した円筒体で、この上部側面には接着剤２１の流出口２２が複数個開口されている。またキャップ１５の外周には不織布で形成されたリング状のパッド２４が取付けられ、円筒体２０の下部に接触して、円筒体２０と共に下降するようになっている。また図２に示すように縦溝２の周囲の上台１の上面には四角形状のスペーサー２５が接着され、棹石５を重ねた時に、この間に隙間２６が形成されるようになっている。
【００２２】
次に耐震墓構造を組立てる方法について説明する。予め上台１の上面中央に縦溝２を加工し、これと対向する棹石５の底面中央に縦溝６を加工しておく。また、上台１に加工した縦溝２の周囲には、図２に示すように４個のスペーサー２５を接着しておく。
【００２３】
次に図１に示すように、ゴムリング１１を介してキャップ１５を被せた連結棒３を縦溝２内に挿入して、高さ調整用のアジャスター８で連結棒３の取付け位置を調整した後、縦溝２から取り出す。なおこの連結棒３にキャップ１５を被せる時に、ゴムリング１１が密着しているので、上部の空気は空気抜き孔１３から排出される。この後、図１に示すように粘性のあるペースト状の接着剤２１を縦溝２内に充填してから、高さ調整した連結棒３を挿入して、連結棒３の下部側を固定する。この場合、連結棒３の下部側にはくびれ部９が形成され、更にボルト状のアジャスター８が取付けられているので、この凹凸部に接着剤２１が回り込んで、硬化してくると確実に固定される。
【００２４】
次に図３に示すように、上台１から突出した連結棒３の上部側に被せたキャップ１５の外周に不織布で形成されたリング状のパッド２４を取付け、この上にキャップ１５を囲むように円筒体２０を被せて、その下部をパッド２４で塞ぐ。次に、円筒体２０の上部開口部から粘性のあるペースト状の接着剤２１を所定量充填する。
【００２５】
この後、図４に示すように棹石５を図示しないクレーンで吊り上げた状態から次第に下降させて、縦溝６内に連結棒３に取付けた円筒体２０の上部を挿入していく。棹石５を下げていくと、円筒体２０の上部開口部が縦溝６の天井面に押されて、棹石５と共に円筒体２０とパッド２４が下降してくる。円筒体２０の下降に伴って、円筒体２０内に充填されていた接着剤２１が下側に押し出されると共に流出口２２から流れ出し、縦溝６とキャップ１５との間の隙間が上方から順次充填されていき、内部の空気は縦溝６の下部から順次排出されていく。この時、縦溝６とキャップ１５との間の隙間にはパッド２４が取付けられ、円筒体２０と共に下降してくるので接着剤２１が流れ出すことがない。
【００２６】
更に棹石５を下げていくと、図５に示すように上台１の上に、スペーサー２５を介して重ねた状態となる。この結果、縦溝６とキャップ１５との間に接着剤２１が充填され、フランジ１８でパッド２４が止められて、接着剤２１の流出が阻止された状態で、時間の経過と共に接着剤２１がパテ状に硬化してくる。最後に、上台１と棹石５との間の左右の隙間２６から、ステンレス製のバネ材で形成された２枚の板状のストッパー２８を差し込んで、その先端を図６に示すように、キャップ１５の左右のスリット１７、１７から連結棒３のリング状の嵌合溝１０内に嵌合させる。
【００２７】
このように組立てた耐震墓構造は、接着剤２１がパテ状に硬化すると、上台１の縦溝２と棹石５の縦溝６は、接着剤２１で固定された連結棒３を介して連結された構造となる。この結果、横揺れの地震が発生しても、連結棒３を介して上台１と棹石５が連結され、連結棒３とキャップ１５との間には弾性のあるゴムリング１１が介在しているので、ここでも揺れが吸収され、棹石５の横移動や倒壊を確実に防止することができる。
【００２８】
また縦揺れの地震が発生しても、板状のストッパー２８の先端側が、上台１に接続された連結棒３のリング状嵌合溝１０と、棹石５に接続されたキャップ１５のスリット１７とを連結しているので、棹石５の浮き上がりが阻止される。また棹石５が僅かに浮き上がったとしてもストッパー２８はバネ材で形成されているので、その弾性により復帰して棹石５の倒壊を確実に防止することができる。
【００２９】
また石材店で展示されている墓石が販売されて墓地に運搬する場合には、図７に示すように、ストッパー２８、２８を連結棒３のリング状嵌合溝１０と、キャップ１５のスリット１７から引き出して、上台１と棹石５との連結を解除する。次に図示しないクレーンで棹石５を持ち上げると、ゴムリング１１と接触しているキャップ１５の内面が上昇して、連結棒３から外れて、棹石５だけが持ち上げられる。
【００３０】
このように上台１と棹石５を分解して墓地に運搬し、設置場所で上台１を設置してから上記と逆の手順で、棹石５を吊り下げてきて、上台１の上面から突出した連結棒３を、棹石５に取付けたキャップ１５の内面に挿入して上台１の上に重ねる。この後、上台１と棹石５との間の左右の隙間２６からバネ材で形成された２枚の板状のストッパー２８を差し込んで、その先端をキャップ１５の左右のスリット１７、１７から連結棒３のリング状の嵌合溝１０内に嵌合させて一体に連結すると、耐震構造が完成する。
【００３１】
なお上記説明では、連結棒を断面円形の場合について説明したが、断面四角形など多角形状のものでも良く、またキャップや筒体も、これに合わせた断面多角形状のものでも良い。また連結棒３の小径部３Ｃに取付けた弾性材はゴムリング１１に限らず他の弾性材で形成されたものを取付けても良い。また本発明の耐震墓構造は上台１と竿石５との連結に限らず、上台１とこの下の中台との連結に適用することもできる。
【図面の簡単な説明】
【００３２】
【図１】本発明の実施の一形態による上台の縦溝に連結棒を挿入して接着剤で固定した状態を示す断面図である。
【図２】図１のリング状の嵌合溝の部分で破断した平面図である。
【図３】図１の連結棒の上部に円筒体を取付けて、接着剤を充填した状態を示す断面図で
【図４】図３の状態から連結棒に取付けた円筒体を棹石の縦溝に挿入して、棹石を下降させている状態を示す断面図である。
【図５】図４の状態から棹石を上台の上に重ねて、ストッパーで連結した状態を示す断面図である。
【図６】図５のストッパーを取付けたリング状の嵌合溝の部分で破断した平面図である。
【図７】上台の連結棒から棹石を持ち上げて分離した状態を示す断面図である。
【符号の説明】
【００３３】
１    上台      
２    縦溝    
３    連結棒    
５    棹石        
６    縦溝        
８    アジャスター      
１０  リング状の嵌合溝    
１１  ゴムリング  
１３  空気抜き孔    
１５  キャップ  
１６  段部          
１７  スリット    
１８  フランジ      
２０  円筒体      
２１  接着剤        
２２  流出口        
２４  パッド        
２５  スペーサー      
２６  隙間            
２８  ストッパー    
【図１】
2008095409.tif 000003
【図２】
2008095409.tif 000004
【図３】
2008095409.tif 000005
【図４】
2008095409.tif 000006
【図５】
2008095409.tif 000007
【図６】
2008095409.tif 000008
【図７】
2008095409.tif 000009